(57)【要約】【課題】片手操作で容易且つ迅速に操作ハンドルの倒伏姿勢でのロック及びその解除を行うことができる卓上パンチを提供する。【解決手段】基台２の支持部７に連結された操作ハンドル３を押下操作することにより昇降部材１８を介して操作ハンドル３に連結された刃部材１２が下降して基台２上の紙に孔を開ける卓上パンチ１において、操作ハンドル３を倒伏姿勢にロックするロック部材２５を昇降部材１８に回動自在に設ける。ロック部材２５は、基台２の支持部７に設けた張出部１０に係止して昇降部材１８の上昇方向の動きを規制する係止部２７を備える。操作ハンドル３を操作して倒伏させた状態で基台２の底面４の前端縁を支点として基台２を傾斜させたときにロック部材２５が重心位置の移動により自重で回動して係止部２７が張出部１０に係止する位置に移動する。【選択図】図４
2015128798.tif 000002
【特許請求の範囲】
【請求項１】
紙を載置する基台と、該基台に設けられた支持部に後端側が連結されて、該基台に対して起き上がった姿勢と倒伏姿勢との間で搖動自在の操作ハンドルと、該操作ハンドルを起き上がり方向に付勢する付勢手段と、前記基台に対して昇降自在の刃部材と、該刃部材と前記操作ハンドルとを連結して前記操作ハンドルの搖動操作に前記刃部材の昇降を追従させる昇降部材とを備え、前記付勢手段に抗して前記操作ハンドルを倒伏姿勢に押し下げる押下操作により前記刃部材が下降して基台上の紙に孔を開ける卓上パンチにおいて、
前記支持部は、前記昇降部材の上方位置に張り出す張出部を備え、
前記昇降部材は、前記操作ハンドルを倒伏姿勢にロックするためのロック部材を枢軸を介して回動自在に支持し、
該ロック部材は、その重心が前記枢軸と異なる位置に設定され、前記張出部の下方から該張出部に着脱自在に係合して前記昇降部材の上昇方向の動きを規制する係合部を前記枢軸より上方位置に備え、
前記操作ハンドルを押下操作により倒伏させた状態で前記基台底面の前端縁を支点として該基台を傾斜させたとき、前記ロック部材が基台の傾斜に伴う前記枢軸に対する重心位置の移動により自重で回動して、前記係合部が前記張出部への係合位置に移動することを特徴とする卓上パンチ。
【請求項２】
前記ロック部材は、前記係合部が前記支持部の前記張出部への係合位置に移動したとき前記支持部の一部に当接して衝突音を発生させる当接部を備えることを特徴とする請求項１記載の卓上パンチ。
【請求項３】
前記ロック部材は、前記係合部が前記支持部の前記張出部に係合した状態で前記基台を水平姿勢とし且つ倒伏姿勢の前記操作ハンドルを更に押下操作したとき、前記係合部の前記張出部への係合が解除されると共に、前記枢軸回りに自重で回動して前記張出部から離反することを特徴とする請求項１又は２記載の卓上パンチ。
【発明の詳細な説明】
【技術分野】
【０００１】
本発明は、紙に綴じ込み用の孔を開ける卓上パンチに関する。
【背景技術】
【０００２】
一般に、書類の一側端部に綴じ込み用の孔を開ける卓上パンチは、打ち抜き穴が設けられた基台と、打ち抜き穴に対応してその上方に設けられた刃部材と、一端側が基台に連結されて搖動する操作ハンドルとを備えている。
【０００３】
操作ハンドルは、バネ等の付勢手段により基台に対して起き上がった姿勢が保たれており、付勢手段の付勢に抗して他端側を押し下げ操作することにより倒伏姿勢となる。刃部材は、操作ハンドルの搖動に連動して昇降するようになっている。即ち、操作ハンドルが基台から起き上がった姿勢にあるとき、刃部材は基台の上方に離間し、操作ハンドルを倒伏させる方向に押し下げると、刃部材は基台の打ち抜き穴に向かって下降する。
【０００４】
この構成による卓上パンチによれば、基台の打ち抜き穴上に書類の一側端部を載置し、操作ハンドルを押し下げ操作することで、刃部材が下降して書類に孔が形成される。
【０００５】
ところで、この種の卓上パンチは、操作ハンドルが付勢手段の付勢によって基台に対して常時起き上がった状態となる。このため、不使用時に机の引き出しや棚に収納するときに操作ハンドルが邪魔になり大きな収納スペースが必要となる。特に、多数枚の紙に穴を開けることができる卓上パンチは、操作ハンドルの押し下げ操作力を軽減するために操作ハンドルの長さが長く設定されており、収納スペースの確保が困難となる。
【０００６】
そこで、従来より、操作ハンドルを倒伏姿勢でロックするロック機構を設けた卓上パンチが提案されている（例えば、下記特許文献１，２参照）。これらのものでは、操作ハンドルを押し下げ操作して倒伏姿勢とし、次いでロック機構を操作して操作ハンドルを倒伏姿勢でロックする。これによれば、不使用時に操作ハンドルが倒伏姿勢に維持され、狭いスペースであっても卓上パンチを収納することができる。
【先行技術文献】
【特許文献】
【０００７】
【特許文献１】実公平４−２６２３８号公報
【特許文献２】実公平５−２４４７９号公報
【発明の概要】
【発明が解決しようとする課題】
【０００８】
しかし、上記従来のものは、ロック機構を手動操作することによって操作ハンドルを倒伏姿勢でロックするようになっている。このため、操作ハンドルを倒伏姿勢でロックしたり、そのロックを解除したりするときには、一方の手で操作ハンドルを押し下げた状態を維持しながら、他方の手でロック機構を操作しなければならず、操作が煩わしいだけでなく、一方の手が塞がっている場合には、ロック機構を操作することが困難となる不都合がある。
【０００９】
上記の点に鑑み、本発明は、片手操作で容易且つ迅速に操作ハンドルの倒伏姿勢でのロック及びその解除を行うことができる卓上パンチを提供することを目的とする。
【課題を解決するための手段】
【００１０】
かかる目的を達成するために、本発明は、紙を載置する基台と、該基台に設けられた支持部に後端側が連結されて、該基台に対して起き上がった姿勢と倒伏姿勢との間で搖動自在の操作ハンドルと、該操作ハンドルを起き上がり方向に付勢する付勢手段と、前記基台に対して昇降自在の刃部材と、該刃部材と前記操作ハンドルとを連結して前記操作ハンドルの搖動操作に前記刃部材の昇降を追従させる昇降部材とを備え、前記付勢手段に抗して前記操作ハンドルを倒伏姿勢に押し下げる押下操作により前記刃部材が下降して基台上の紙に孔を開ける卓上パンチにおいて、前記支持部は、前記昇降部材の上方位置に張り出す張出部を備え、前記昇降部材は、前記操作ハンドルを倒伏姿勢にロックするためのロック部材を枢軸を介して回動自在に支持し、該ロック部材は、その重心が前記枢軸と異なる位置に設定され、前記張出部の下方から該張出部に着脱自在に係合して前記昇降部材の上昇方向の動きを規制する係合部を前記枢軸より上方位置に備え、前記操作ハンドルを押下操作により倒伏させた状態で前記基台底面の前端縁を支点として該基台を傾斜させたとき、前記ロック部材が基台の傾斜に伴う前記枢軸に対する重心位置の移動により自重で回動して、前記係合部が前記張出部への係合位置に移動することを特徴とする。
【００１１】
前記ロック部材は、その重心が前記枢軸と異なる位置に設定されていることにより、枢軸に対する重心位置の移動により自重で回動する。そして本発明においては、基台を底面の前端縁を支点として傾斜させたとき、ロック部材の枢軸に対する重心位置が移動してロック部材が回動すると、係合部が支持部の張出部への係合位置に移動する。
【００１２】
係合部が支持部の張出部への係合位置に移動すると、前記張出部にその下方から係合部が係合し、ロック部材が昇降部材の枢軸と支持部の張出部との間に挟み込まれることで昇降部材の上昇方向の動きが規制される。昇降部材は、刃部材と操作ハンドルとを連結するものであり、操作ハンドルの搖動に連動するので、昇降部材の上昇方向の動きが規制されることによって、操作ハンドルも倒伏姿勢でロックされた状態となる。
【００１３】
以上のように、本発明の卓上パンチは、前記ロック部材を備えることにより、操作ハンドルを押下操作により倒伏させた後、この状態を維持して更に基台底面の前端縁を支点として該基台を水平姿勢から所定の角度に傾斜させるだけで、操作ハンドルを倒伏姿勢でロックすることができる。従って、操作ハンドルを倒伏姿勢に押し下げる押下操作に連続して基台を傾斜させるという一挙動の操作により、片手操作で操作ハンドルを倒伏姿勢にロックすることができる。そして、不使用時に操作ハンドルが倒伏姿勢に維持されるので、狭いスペースであっても卓上パンチを収納することができる。
【００１４】
また、本発明において、前記ロック部材は、前記係合部が前記支持部の前記張出部への係合位置に移動したとき前記支持部の一部に当接して衝突音を発生させる当接部を備えることを特徴とする。
【００１５】
これによれば、前記衝撃音の発生により、ロック部材の係合部が張出部への係合位置に移動したことを確実に確認することができる。よって、操作ハンドルを倒伏姿勢でロックするときには、基台の傾斜角度を意識することなく前記衝突音が発生するまで基台を傾斜させればよく、操作ハンドルを倒伏姿勢でロックする作業が極めて容易となる。
【００１６】
また、本発明において、前記ロック部材は、前記係合部が前記支持部の前記張出部に係合した状態で前記基台を水平姿勢とし且つ倒伏姿勢の前記操作ハンドルを更に押下操作したとき、前記係合部の前記張出部への係合が解除されると共に、前記枢軸回りに自重で回動して前記張出部から離反することを特徴とする。
【００１７】
これによれば、ロック部材の係合部が張出部に係合した状態で基台が水平姿勢にあるとき、倒伏姿勢の前記操作ハンドルを更に押下操作するだけで、昇降部材の上昇方向への規制が解除され、操作ハンドルが基台に対して起き上がった姿勢となる。従って、操作ハンドルが倒伏姿勢でロックされた状態から、片手操作で簡単に操作ハンドルを基台に対して起き上がった姿勢とすることができ、紙に孔を開けることが可能な状態に容易に復帰させることができる。
【図面の簡単な説明】
【００１８】
【図１】本発明の一実施形態の卓上パンチを示す斜視図。
【図２】リンク機構を示す説明的断面図であり、（ａ）は操作ハンドルが起き上がった姿勢のときのリンク機構の状態を示し、（ｂ）は操作ハンドルが倒伏姿勢のときのリンク機構の状態を示す。
【図３】本実施形態の卓上パンチの側面図であり、（ａ）は操作ハンドルが起き上がり姿勢となっている状態を示し、（ｂ）は操作ハンドルを倒伏姿勢として基台を傾斜させた状態を示す。
【図４】ロック部材の動作を示す説明図であり、（ａ）は基台の底面が水平のときのロック部材の動作を示し、（ｂ）は基台の底面が傾斜したときのロック部材の動作を示し、（ｃ）は基台の底面が傾斜しているときのロック状態を示す。
【図５】本実施形態の卓上パンチの側面図であり、（ａ）は操作ハンドルが倒伏姿勢でロックされている状態を示し、（ｂ）はロック状態の操作ハンドルを最下位置まで押し下げた状態を示す。
【図６】ロック部材の動作を示す説明図であり、（ａ）は基台の底面が水平のときのロック状態を示し、（ｂ）はロックが解除されるときのロック部材の動作を示す。
【発明を実施するための形態】
【００１９】
本発明の一実施形態を図面に基づいて説明する。本実施形態の卓上パンチ１は、紙の一側端部に孔を打ち抜き形成するためのものであり、図１に示すように、基台２と、操作ハンドル３とを備えている。基台２は、机上等に着座させる底面４と、紙を載置するための紙載置面５とを備えて高さの低い箱状に形成されている。また、基台２には、紙載置面５の一部を貫通する打ち抜き孔６（図２参照）が形成されている。
【００２０】
基台２の後方側には同様の形状で一対の支持部７が設けられている。両支持部７には、操作ハンドル３がハンドル用搖動軸８を介して搖動自在に連結されている。操作ハンドル３は、その後端側が両支持部７に支持されていることにより、図１に示す起き上がった姿勢から、自由端を押し下げる押下操作を行うことで、ハンドル用搖動軸８回りに搖動して倒伏姿勢となる。
【００２１】
各支持部７は、夫々、互いに対向する一対の起立壁９を備えており、両起立壁９の上縁を一体に連結する架橋板１０（張出部）と、図２（ａ）及び図２（ｂ）に示すように、両起立壁９の下縁を一体に連結して後端部側が基台２上面に固定された下部連結板１１とを備えている。
【００２２】
支持部７の内部には、上下に延びる円柱状の刃部材１２が収容されている。刃部材１２の下端には、紙を穿孔する切刃１３が形成されている。刃部材１２は、架橋板１０に形成された第１貫通孔１４と下部連結板１１に形成された第２貫通孔１５とに案内されて長手方向（上下方向）に移動自在に設けられている。
【００２３】
操作ハンドル３と刃部材１２とはリンク機構１６を介して互いに連結されており、リンク機構１６によって、操作ハンドル３の搖動に連動して刃部材１２が上下動するようになっている。
【００２４】
リンク機構１６は、図２（ａ）及び図２（ｂ）に示すように、操作ハンドル３に一体に固定された連結板１７と、この連結板１７及び操作ハンドル３に第１昇降軸１８を介して一端が連結された搖動部材１９とを備えている。
【００２５】
搖動部材１９の他端は、支持部７の起立壁９に設けられた支持軸２０に回動自在に連結されている。搖動部材１９には第２昇降軸２１が設けられており、この第２昇降軸２１は刃部材１２に連結されている。なお、起立壁９には、図１に示すように、第１昇降軸１８を上下方向に湾曲して案内する第１案内スリット２２と、第２昇降軸２１を上下方向に案内する第２案内スリット２３とが形成されている。なお、連結板１７及び操作ハンドル３は、長穴を介して第１昇降軸１８を支持しており、これによって、第１案内スリット２２に沿った第１昇降軸１８の昇降動作を許容している。
【００２６】
また、図２（ａ）及び図２（ｂ）に示すように、刃部材１２に連結された第２昇降軸２１と支持部７の下部連結板１１との間にはスプリング２４（付勢手段）が介設されている。スプリング２４は、第２昇降軸２１を介して刃部材１２を上方に付勢しており、同時に、搖動部材１９及び第１昇降軸１８を介して操作ハンドル３を起き上がった姿勢となる方向に付勢している。
【００２７】
更に、第１昇降軸１８には板状のロック部材２５が回動自在に設けられている。ロック部材２５は、操作ハンドル３を倒伏姿勢の状態でロックするものであるが、支持部７と操作ハンドル３との間の空間内部に収容されていて外部に露出しないので、卓上パンチ１の外観低下を防止することができる。ロック部材２５についての詳しい説明は後述する。
【００２８】
なお、本実施形態において、搖動部材１９は、本発明における昇降部材に相当するものであり、第１昇降軸１８は、ロック部材２５を回動自在に支持する本発明の枢軸に相当するものである。第１昇降軸１８をロック部材２５の枢軸とすることで、部品点数を少なくすることができる。
【００２９】
次に、リンク機構１６の作動を説明する。操作ハンドル３が起き上がった姿勢にあるときには、リンク機構１６は図２（ａ）に示す状態となっており、この状態から操作ハンドル３の自由端を押下操作すると、操作ハンドル３に連結された第１昇降軸１８が下降する。これに伴い、搖動部材１９が支持軸２０回りに搖動して第２昇降軸２１を押し下げる。これにより、第２昇降軸２１に連結された刃部材１２がスプリング２４の付勢に抗して下降し、図２（ｂ）に示す状態となる。リンク機構１６が図２（ｂ）に示す状態のとき、操作ハンドル３は、その自由端が最下位置まで押し下げられた倒伏姿勢となる。
【００３０】
その後、操作ハンドル３の自由端の押下操作を解除すると、スプリング２４の付勢により第２昇降軸２１と刃部材１２とが上昇し、これに伴い、搖動部材１９が第１昇降軸１８を押し上げることにより、操作ハンドル３が搖動して起き上がった姿勢に復帰する。
【００３１】
そして、基台２の打ち抜き孔６上に紙を載置した状態で、上述の操作ハンドル３を操作することにより、刃部材１２によって紙に穿孔することができる。
【００３２】
ここで、ロック部材２５の構成とその作動を図３〜図６に基づいて説明する。なお、図４及び図６においては、説明の便宜上、ハンドル用搖動軸８、ロック部材２５、第１昇降軸１８、第１案内スリット２２、及び架橋板１０以外の図示を省略している。
【００３３】
ロック部材２５は、図４（ａ）に示すように、第１昇降軸１８が挿通する軸孔２６と、架橋板１０の下面に当接する第１当接部２７（係止部）と、架橋板１０の端縁に当接する第２当接部２８（当接部）とを備えている。第１当接部２７と第２当接部２８とはロック部材２５の一部を切欠くことにより連続して形成されている。また、軸孔２６はロック部材２５の重心ｇと異なる位置に形成されており、ロック部材２５の重心ｇは軸孔２６と第１当接部２７との間に設定されている。
【００３４】
図３（ａ）に示すように、基台２の底面４が水平の（机上での使用時の）状態では、操作ハンドル３が起き上がった姿勢のとき、ロック部材２５は図４（ａ）において実線で示す状態となっている。この状態から、図３（ａ）において仮想線で示すように、操作ハンドル３を最下位置まで押下操作すると、操作ハンドル３の搖動に追従して第１昇降軸１８が下降する。また、操作ハンドル３の押下操作を解除すると、第１昇降軸１８が上昇すると共に操作ハンドル３が起き上がった姿勢に戻る。
【００３５】
このとき、図４（ａ）に示すように、ロック部材２５の重心ｇは常に第１昇降軸１８の鉛直方向直上（第１昇降軸１８の軸心を通る鉛直線ｓ上）よりも後方側（図中左側）に偏った位置にある。これにより、ロック部材２５は常に架橋板１０の後方に位置して第１昇降軸１８の昇降動作が許容される。従って、基台２の底面４が水平で、操作ハンドル３が起き上がった姿勢にあれば、操作ハンドル３の搖動が円滑に行え、紙への穿孔が円滑に行える。
【００３６】
操作ハンドル３を倒伏姿勢でロックするときには、図３（ｂ）に示すように、操作ハンドル３を最下位置まで押し下げた状態を維持して、基台２を、その底面４の前端を支点として傾斜させる。この操作は、操作ハンドル３の押下操作から連続して手を離すことなく片手で行うことができる。
【００３７】
基台２の傾斜角度θが所定角度（本実施形態においては約３０°）以上になると、図４（ｂ）に示すように、第１昇降軸１８に対するロック部材２５の重心ｇの位置が、第１昇降軸１８の鉛直線ｓを超えて鉛直線ｓよりも前方側（図中右側）に移動する。これに伴って、ロック部材２５は、第２当接部２８が架橋板１０の端縁に当接するまで第１昇降軸１８回りに回動する。第２当接部２８が架橋板１０に当接すると衝突音を発して、ロック部材２５の回動が停止する。第２当接部２８が架橋板１０の端縁に当接（衝突）したときの衝突音により、ロック部材２５が回動したことが容易に確認できる。このとき、ロック部材２５の第１当接部２７は、架橋板１０の下方に位置する。
【００３８】
なお、基台２を傾斜させたときにロック部材２５が回動する傾斜角度θは、ロック部材２５の重心ｇの位置に対応するものであるので、ロック部材２５の重量配分（形状等）を変更することにより適宜設定することができる。
【００３９】
そして、衝突音を確認したタイミングで操作ハンドル３に付与している押し下げ力を少し弱めると、図３（ｂ）ににおいて仮想線で示すように、操作ハンドル３が最下位置よりも少し起き上がった倒伏姿勢となり、同時に、図４（ｃ）に示すように、第１昇降軸１８の上昇によりロック部材２５の第１当接部２７が架橋板１０の下面に当接する。
【００４０】
これにより、ロック部材２５が第１昇降軸１８と架橋板１０とに挟持されるようにして第１昇降軸１８の動きを停止させ、搖動部材１９の上方への搖動を規制する。そして、ロック部材２５の第１当接部２７は、スプリング２４（図２参照）の付勢により架橋板１０に対して圧接状態となり、搖動部材１９の搖動が停止された状態が維持されて、操作ハンドル３が倒伏姿勢でロックされる。このようにして倒伏姿勢でロックされた操作ハンドル３は、図５（ａ）に示すように、基台２の底面４を水平に戻しても、倒伏姿勢が維持される。
【００４１】
以上のように、本実施形態の卓上パンチ１によれば、上述したロック部材２５の作動により、操作ハンドル３の押下操作に連続して基台を傾斜させる一挙動の片手操作で極めて容易に操作ハンドル３を倒伏姿勢にロックすることができる。そして、ロック部材２５により操作ハンドル３の倒伏姿勢が確実に維持されるので、不使用時の卓上パンチ１を狭いスペースに収納することができる。
【００４２】
次に、倒伏姿勢にロックされた状態の操作ハンドル３に対してロックを解除する際の操作及びロック部材２５の動きについて説明する。
【００４３】
図５（ａ）に示すように、基台２の底面４が水平で、操作ハンドル３が倒伏姿勢でロックされた状態にあるとき、図６（ａ）に示すように、ロック部材２５は、第１当接部２７を架橋板１０に当接させた状態で架橋板１０と第１昇降軸１８との間に位置している。このとき、基台２の底面４が水平であることにより、ロック部材２５の重心ｇは鉛直線ｓよりも後方側（図中左側）に偏った位置にある。
【００４４】
この状態で、図５（ｂ）に示すように、操作ハンドル３を最下位置まで押し下げると、図６（ｂ）に示すように、第１昇降軸１８が下降し、更に、ロック部材２５はその重心ｇが位置する側へ第１昇降軸１８回りに回動する。これにより、ロック部材２５は架橋板１０の下側から外側に離反する。そして、操作ハンドル３の押し下げ力を解除すると、ロック部材２５は図４（ａ）に示す状態となり、操作ハンドル３が起き上がった姿勢に復帰する。
【００４５】
このように、本実施形態の卓上パンチ１によれば、操作ハンドル３を倒伏姿勢にロックする操作が片手で簡単に行えるだけでなく、そのロックも片手操作で簡単に解除することができる。
【符号の説明】
【００４６】
１…卓上パンチ、２…基台、３…操作ハンドル、７…支持部、１０…架橋板（張出部）、１２…刃部材、１８…第１昇降軸（枢軸）、１９…搖動部材（昇降部材）、２４…スプリング（付勢手段）、２５…ロック部材、２７…第１当接部（係合部）、２８…第２当接部（当接部）、ｇ…重心。
【図１】
2015128798.tif 000003
【図２】
2015128798.tif 000004
【図３】
2015128798.tif 000005
【図４】
2015128798.tif 000006
【図５】
2015128798.tif 000007
【図６】
2015128798.tif 000008